(57)【要約】【課題】データベースに記録された医療処置例の評価の支援が期待できる医療処置評価支援装置等を提供する。【解決手段】医療処置評価支援装置１０の処理装置本体２０は、過去の症例、前記症例について実施した医療処置及び発生した履歴情報３７を含む医療情報３５を医療処置例データベース３０に記録する記憶装置２８を有する。検索クエリ医療処置例が付与されたとき、処理装置本体２０は検索クエリ医療処置例と類似する類似医療処置例を、それぞれが有する医療情報３５に基づいて医療処置例データベース３０から検索する。処理装置本体２０は検索クエリ医療処置例と検索された類似医療処置例とを比較評価し、ディスプレイ４０により検索クエリ医療処置例と前記類似医療処置例とをともに表示し、比較評価結果を強調して表示する。【選択図】図２
2007233850.tif 000002
【特許請求の範囲】
【請求項１】
過去の症例、前記症例について実施した医療処置例及び発生したイベントの順序を含む医療情報を医療処置例データベースに記録する医療処置例データベース記憶手段と、
検索クエリ医療処置例が付与されたとき、該検索クエリ医療処置例と類似する類似医療処置例を、それぞれが有する医療情報に基づいて前記医療処置例データベースから検索する検索手段と、
前記検索クエリ医療処置例と、前記検索手段が検索した類似医療処置例とを比較評価する評価手段と、
前記検索クエリ医療処置例と前記類似医療処置例とをともに表示し、前記評価手段が評価した前記比較評価結果を強調して表示する表示手段とを有することを特徴とする医療処置評価支援装置。
【請求項２】
評価者が前記検索クエリ医療処置例の評価を入力する評価入力手段を備え、
前記医療処置例データベース記憶手段は、前記評価入力手段を介して入力された評価を前記検索クエリ医療処置例に関連付けて前記医療処置例データベースに記録することを特徴とする請求項１に記載の医療処置評価支援装置。
【請求項３】
前記検索手段は、医療処置例データベース記憶手段に記憶されている医療処置例に関するイベント種別の類似度を算出し、前記類似度に基づいて類似医療処置例を検索することを特徴とする請求項１又は請求項２に記載の医療処置評価支援装置。
【請求項４】
前記評価手段は、前記類似医療処置例と前記検索クエリ医療処置例の各時系列で発生したイベント列に対して相違点を評価することを特徴とする請求項１乃至請求項３のうちいずれか１項に記載の医療処置評価支援装置。
【請求項５】
前記評価手段は、さらに、前記検索クエリ医療処置例の医療処置の所要時間と前記検索クエリ医療処置例に関するセンサ出力の少なくともいずれか一方を、判定値と比較評価を行うことを特徴とする請求項１乃至請求項４のうちいずれか１項に記載の医療処置評価支援装置。
【請求項６】
前記表示手段は、前記検索クエリ医療処置例と前記類似医療処置例の医療処置を同時に表示する際に、医療処置手順に同じイベントが存在する場合には該イベントを同期をとって表示することを特徴とする請求項１乃至請求項５うちいずれか１項に記載の医療処置評価支援装置。
【請求項７】
前記表示手段は、医療処置手順のダイヤグラムを使用して、前記比較結果を強調表示することを特徴とする請求項１乃至請求項６のうちいずれか１項に記載の医療処置評価支援装置。
【請求項８】
過去の症例、前記症例について実施した医療処置例及び発生したイベントの順序を含む医療情報を医療処置例データベースに記録する医療処置例データベース記憶部と、
検索クエリ医療処置例が付与されたとき、該検索クエリ医療処置例と類似する類似医療処置例を、それぞれが有する医療情報に基づいて医療処置例データベース記憶部が記憶する前記医療処置例データベースから検索する検索部と、
前記検索クエリ医療処置例と、前記検索部が検索した類似医療処置例とを比較評価する評価部と、
前記検索クエリ医療処置例と前記類似医療処置例とをともに表示し、前記評価部が評価した前記比較評価結果を強調して表示する表示部を備えることを特徴とする医療処置評価支援システム。
【請求項９】
コンピュータを、
過去の症例、前記症例について実施した医療処置例及び発生したイベントの順序を含む医療情報を医療処置例データベースに記録する医療処置例データベース記憶手段と、
検索クエリ医療処置例が付与されたとき、該検索クエリ医療処置例と類似する類似医療処置例を、それぞれが有する医療情報に基づいて医療処置例データベース記憶手段が記憶する前記医療処置例データベースから検索する検索手段と、
前記検索クエリ医療処置例と、前記検索手段が検索した類似処置例とを比較評価する評価手段と、
前記検索クエリ医療処置例と前記類似医療処置例とをともに表示し、前記評価手段が評価した前記比較評価結果を強調して表示する表示手段として機能させるための医療処置評価支援プログラム。
【発明の詳細な説明】
【技術分野】
【０００１】
本発明は検索クエリ医療処置例が与えられたとき、データベースから該検索クエリ医療処置例に類似する類似医療処置例を検索し、その該検索クエリ医療処置例の検討や医療処置例の評価を支援する医療処置評価支援装置、医療処置評価支援システム、及び医療処置評価支援プログラムに関する。
【背景技術】
【０００２】
従来から、病院等の医療機関において、治療者（医師或いは看護士等の医療従事者）が被治療者（患者等）に対し、実際に行った医療処置記録の内容、該医療処置に対する結果、及び被治療者に対して実施した医学検査の検査データ等をカルテに文字情報として記録し、これを管理することが行われている。このカルテを用いた文字情報の記録は、実施内容等を具体的かつ簡潔な表現で記録することを目的としている。
【０００３】
さらに、近年の情報通信機器の技術的な進歩により各種のストレージ製品や動画の入出力関連機器の高性能・高機能化、及び低価格化が著しく進んでいる。そこで、従来のカルテによる記録に加え、多くの医療処置等を撮像手段や録音手段にて収録して、電子情報として記録及び保存することを要求する声が大きくなっている。そのため、救急救命の現場や手術室内の様子を撮像及び録音したものを医療の情報として記録するシステムの構築及び開発が行われている。
【０００４】
例えば、特許文献１や特許文献２では、治療室内における検査や処置等の映像及び治療室内での音声を情報として取得するシステム及び装置が開示されている。
又、本出願人は実施した医療処置とそれに対する医療処置結果、及びその医療処置を各種入力機器によって取得し、その得られた情報（映像、音声、テキスト等）に対して、医療処置の結果とともに時系列に沿ってインデクシング処理を行って作成し、イベントインデクスに構造化して記録する装置を提案している（特許文献３）。この装置では、データベースに記録された各種情報がイベントインデクスに構造化して記録されていることによって、再生作業が容易にできる利点がある。
【０００５】
又、特許文献４には、傷病名や病状などの関連語をキーワードとして用いてデータベース化された電子カルテテキストを検索することが開示されている。又、特許文献５には、レントゲンや動画に対して画像データをクエリとして与えて、医療情報データベースを検索することが開示されている。
【特許文献１】特開２００４−４１６０５号公報
【特許文献２】特開２００４−２８０４５５号公報
【特許文献３】特願２００５−０６９２４０号
【特許文献４】特開平８−２６３５６２号公報
【特許文献５】特開２００２−５６１０４号公報
【発明の開示】
【発明が解決しようとする課題】
【０００６】
ところで、医療処置がデータとして記録・蓄積され、或いはデータベース化された特許文献１乃至特許文献５の記録情報を、医療処置の比較検討や、評価に用いることが考えられる。
【０００７】
ところが、上記に挙げた現状のシステムや装置では、単に記録した動画を再生するのみであり、医療処置例の比較や評価を行うための配慮がなされていない。又、医療処置の評価は、評価者の知識や経験による主観的な評価に大きく依存しているのが現状である。評価においては客観性を重視する面も必要であるが、そのような評価を支援するための装置がない問題がある。さらに、人の知識には習熟度等によって個人差があり、必ずしも有効な評価や指導につながらないという問題点もある。
【０００８】
本発明の目的は、データベースに記録された医療処置例の評価を支援可能な医療処置評価支援装置、医療処置評価支援システム、及び医療処置評価支援プログラムを提供することにある。
【課題を解決するための手段】
【０００９】
上記問題点を解決するために本発明の医療処置評価支援装置は、過去の症例、前記症例について実施した医療処置例及び発生したイベントの順序を含む医療情報を医療処置例データベースに記録する医療処置例データベース記憶手段と、検索クエリ医療処置例が付与されたとき、該検索クエリ医療処置例と類似する類似医療処置例を、それぞれが有する医療情報に基づいて前記医療処置例データベースから検索する検索手段と、前記検索クエリ医療処置例と前記検索手段が検索した類似医療処置例とを比較評価する評価手段と、前記検索クエリ医療処置例と前記類似医療処置例とをともに表示し、前記評価手段が評価した前記比較評価結果を強調して表示する表示手段とを有することを特徴とする。
【００１０】
医療処置例データベース記憶手段とは、過去に実施された医療処置例及び医学教育に活用された一般的な医学知識に基づく代表的な症例についての医療処置の内容やそのときに発生したイベントの実施順又は受付順を含んだ医療情報をデータベース化して記録している手段である。  前記イベントとは、医療処置及び該医療処置中に生じた種々の出来事を含み、例えば、医療処置中における医療従事者の特定の動作、心電図モニタ等の医療機器が検出したセンサ出力としてのセンサ信号がある。
【００１１】
又、検索クエリ医療処置例とは、症例について過去に実施された医療処置の内容やそのときに発生したイベントの実施順又は受付順を含んだ医療情報であって、評価者が評価の対象とする処置例のことである。又、類似医療処置例とは、該医療処置例の医療情報と、前記検索クエリ医療処置例の医療情報とが類似している処置例のことである。
【００１２】
本発明の医療処置評価支援装置によれば、検索クエリ医療処置例が付与されると、検索手段は該検索クエリ医療処置例と類似する類似医療処置例を、それぞれが有する医療情報に基づいて前記医療処置例データベースから検索する。そして、評価手段が前記類似医療処置例と前記検索クエリ医療処置例とを比較評価する。そして、表示手段が前記検索クエリ医療処置例と前記類似医療処置例とをともに表示し、前記比較評価結果を強調して表示する。
【００１３】
この結果、本発明の医療処置評価支援装置では、従来の経験や知識に基づいた評価に、検索クエリ医療処置例と類似医療処置例との比較から検出された相違点を加えることによって、医療処置の評価の支援が期待できる。
【００１４】
又、表示手段によって比較評価結果を強調して表示することにより検索クエリ医療処置例と類似医療処置例との論点整理を支援できるため、医療処置例の検討に要する時間を短縮し、評価者の効率的な評価支援が期待できる。
【００１５】
又、前記医療処置評価支援装置は、前記構成に加えて、前記医療処置例データベース記憶手段が、過去の症例、前記症例について実施した医療処置例及び発生したイベントの順序を含む医療情報を有する標準的処置例を記録するようにしてもよい。さらに、前記検索手段が、検索クエリ医療処置例が付与されたとき、該検索クエリ医療処置例と類似する類似医療処置例として前記標準的処置例を、それぞれが有する医療情報に基づいて前記医療処置例データベースから検索してもよい。さらに加えて、前記評価手段が、検索された前記標準的処置例と前記検索クエリ医療処置例とを比較評価するようにしてもよい。さらに、前記表示手段が、前記検索クエリ医療処置例と検索された標準的処置例とをともに表示し、前記比較評価結果を強調して表示する構成としてもよい。
【００１６】
ここで、標準的処置例とは標準的治療プログラムに則って適切に行われた医療処置例である。又、標準的治療プログラムとは、例えば、救急医療の現場等で使用されるＡＣＬＳ（Advanced  cardiac  life  suport：二次救命装置）に代表的に示されるように、治療処置が一連の流れに沿って標準化され、各治療処置の間で分岐又は遷移の条件等の判断基準が規定されているものである。
【００１７】
このような構成にすると、検索クエリ医療処置例は標準的処置例との比較から検出された相違点を加えることによって、医療処置の評価の支援が期待できる。又、表示手段によって比較評価結果を強調して表示することにより検索クエリ医療処置例と標準的処置例との論点整理を支援できるため、医療処置例の検討に要する時間を短縮し、評価者の効率的な評価支援が期待できる。
【００１８】
又、医療処置評価支援装置は、前記構成に加えて、評価者が前記検索クエリ医療処置例の評価を入力する評価入力手段を備え、前記医療処置例データベース記憶手段は、前記評価入力手段を介して入力された評価を前記検索クエリ医療処置例に関連付けて前記医療処置例データベースに記録するようにしてもよい。
【００１９】
このようにして、医療処置評価支援装置は、評価入力手段を介して入力された評価が前記検索クエリ医療処置例に関連付けられて前記医療処置例データベースに記憶される。この結果、検索クエリ医療処置例を評価がされた医療処置例として医療処置例データベースに格納することができ、評価情報も含めた医療処置例の記録及び閲覧が可能となる。
【００２０】
なお、医療処置評価支援装置においては、前記構成に加えて、前記医療処置は、医療処置手順が標準化された標準的治療プログラムに基づいて行われており、前記医療処置例データベースには、前記医療処置がシンボル化された形式で記憶されているようにしてもよい。
【００２１】
医療処置がシンボル化されていることにより同一内容の医療処置については、同一シンボルにされているため、例えば、「心臓マッサージ」と「心マ」といった表記ゆれを許容してデータベース化した場合と異なり、検索に要する計算量を抑制でき、その結果、類似医療処置例の検索時間を短縮して検索の効率化が図れる。
【００２２】
又、前記構成に加えて前記医療処置例データベースに記録されている前記医療情報を、医療処置手順、医療処置の映像、音声、テキスト、センサ出力のモダリティから得られる少なくとも一つの情報とし、医療処置中に発生したイベントをリスト化したイベントリストに同期して記録したマルチモーダル情報としてもよい。
【００２３】
ここで、マルチモーダル情報とは、標準的治療プログラムに同期して記録した動画又は静止画の映像情報、音声情報、テキスト情報、各種のセンサや機器の出力の情報（以下、機器情報という）のうち少なくとも一種類の情報のことである。
【００２４】
前記映像情報はビデオカメラやデジタルカメラ等の撮影機器を利用して取得される。又、音声情報はマイク等の音声入力機器を利用して取得される。テキスト情報は、キーボードやマウス等の操作入力機器を利用して、又は取得された映像情報や音声情報をコンピュータ等の認識処理装置が認識処理することによって取得される。又、センサ出力は、各種のセンサ機器から取得される。
【００２５】
ここでイベントリストとは、実際の行為で派生したイベントの記録を時間の流れに沿ってリスト化したものである。
このように構成すると、医療処置評価支援装置は、記録された映像情報等のマルチモーダル情報の中からイベント（例えば、医療処置における"気管挿管"，"心臓マッサージ"，"除細動"等）に対応して、重要な箇所（患部付近を拡大した映像、治療に使用する機器の測定結果等）を示すマルチモーダル情報を表示手段により表示できる。
【００２６】
又、前記構成に加えてイベント内容の編集を行う編集手段と、前記編集手段に編集指示を付与する編集指示手段を備えていてもよい。編集手段は、編集指示手段が付与した編集指示に応じてイベントを追加したり、削除したりしてイベント列の編集を行う。このイベントの追加や、削除を行うことにより編集が行われた結果は、該症例について実施した医療処置例及び発生したイベントの順序を含む医療情報として医療処置例データベース記憶手段が医療処置例データベースに記録する。ここでイベント列とは、例えば、処置手順や、映像情報や、音声や、センサ出力等の項目からなる列のことである。
【００２７】
又、医療処置評価支援装置は、前記構成に加えて、前記検索手段が、医療処置例データベース記憶手段に記憶されている医療処置例に関するイベント種別の類似度を算出し、前記類似度に基づいて類似医療処置例を検索するようにしてもよい。
【００２８】
この結果、この医療処置評価支援装置によれば、検索時に医療処置手順や医療従事者の発声などのイベント種別に類似度を算出することにより評価を行いたいイベントに対応した類似医療処置例が検索可能となる。なお、イベント種別に類似度を算出する代わりに、イベント種別の類似度の重み付けを行い、和を求めることによって統合類似度を算出するようにしてもよい。又、イベント毎に重みを変動させることによってイベント種別の類似度を算出するようにしてもよい。
【００２９】
又、医療処置評価支援装置は、前記構成に加えて前記評価手段が、前記類似医療処置例と前記検索クエリ医療処置例の各時系列で発生したイベント列に対して相違点を評価するようにしてもよい。
【００３０】
この結果、医療処置評価支援装置によれば、検索クエリ医療処置例の各時系列で発生したイベント列に対して類似医療処置例のイベント列との相違点が評価されることにより該イベント列を伴った医療処置に対して評価の支援が期待できる。
【００３１】
又、医療処置評価支援装置は、前記構成に加えて、前記評価手段は、さらに、前記検索クエリ医療処置例の医療処置の所要時間と前記検索クエリ医療処置例に関するセンサ出力の少なくともいずれか一方を、判定値と比較評価を行うようにしてもよい。
【００３２】
この結果、医療処置評価支援装置によれば、検索クエリ医療処置例の医療処置の所要時間と、標準的処置例における前記検索クエリ医療処置例の医療処置と対応する医療処置の所要時間との比較評価が行われることにより検索クエリ医療処置例における医療処置の所要時間の客観的評価ができる。又、医療処置評価支援装置によれば、検索クエリ医療処置例に関するセンサ出力の判定値との比較評価が行われれば、該センサ出力に基づいて、前記検索クエリ医療処置例の医療処置に対する客観的評価を行うことが可能である。
【００３３】
又、本発明の医療処置評価支援装置は、前記構成に加えて、前記表示手段が、前記検索クエリ医療処置例と前記類似医療処置例の医療処置を同時に表示する際に、医療処置手順に同じイベントが存在する場合には該イベントを同期をとって表示するようにしてもよい。
【００３４】
この結果、前記検索クエリ医療処置例と類似医療処置例の医療処置を同時に表示する際に、医療処置手順に同じイベントが存在する場合には該イベントを同期をとって表示されるため、検索クエリ医療処置例と類似医療処置例の医療処置とを評価者は同期表示された医療処置を同時に見ることができ、同期して表示しない場合に比して評価を行いやすくすることができる。
【００３５】
又、前記医療処置評価支援装置は、前記構成に加えて、前記表示手段が、医療処置手順のダイヤグラムを使用して、前記比較結果を強調表示するように構成されたものでもよい。
【００３６】
この結果、医療処置評価支援装置によれば、前記表示手段が医療処置手順のダイヤグラムを使用して、前記比較結果を強調表示するため、ダイヤグラムで表示された医療処置手順のうち、相違するイベントを分かりやすく評価者に提示することができる。
【００３７】
又、本発明にかかる医療処置評価支援システムは、過去の症例、前記症例について実施した医療処置例及び発生したイベントの順序を含む医療情報を医療処置例データベースに記録する医療処置例データベース記憶部と、検索クエリ医療処置例が付与されたとき、該検索クエリ医療処置例と類似する類似医療処置例を、それぞれが有する医療情報に基づいて医療処置例データベース記憶部が記憶する前記医療処置例データベースから検索する検索部と、前記検索クエリ医療処置例と、前記検索部が検索した類似医療処置例とを比較評価する評価部と、前記検索クエリ医療処置例と前記類似医療処置例とをともに表示し、前記評価部が評価した前記比較評価結果を強調して表示する表示部を備えることを特徴とする。  本発明の医療処置評価支援システムによれば、検索クエリ医療処置例が付与されると、検索部は該検索クエリ医療処置例と類似する類似医療処置例を、それぞれが有する医療情報に基づいて医療処置例データベース記憶部が記憶する前記医療処置例データベースから検索する。そして、評価部が前記検索クエリ医療処置例と、前記検索部が検索した類似医療処置例とを比較評価する。そして、表示手段が前記検索クエリ医療処置例と前記類似医療処置例とをともに表示し、前記比較評価結果を強調して表示する。
【００３８】
この結果、本発明の医療処置評価支援システムでは、従来の経験や知識に基づいた評価に、検索クエリ医療処置例と類似医療処置例との比較から検出された相違点を加えることによって、医療処置の評価の支援が期待できる。
【００３９】
又、表示部によって比較評価結果を強調して表示することにより検索クエリ医療処置例と類似医療処置例との論点整理が行われるため、医療処置例の検討に要する時間を短縮して評価支援を行うことが可能となる。
【００４０】
又、本発明の医療処置評価支援プログラムは、コンピュータを、過去の症例、前記症例について実施した医療処置例及び発生したイベントの順序を含む医療情報を医療処置例データベースに記録する医療処置例データベース記憶手段と、検索クエリ医療処置例が付与されたとき、該検索クエリ医療処置例と類似する類似医療処置例を、それぞれが有する医療情報に基づいて医療処置例データベース記憶手段が記憶する前記医療処置例データベースから検索する検索手段と、前記検索クエリ医療処置例と、前記検索手段が検索した類似処置例とを比較評価する評価手段と、前記検索クエリ医療処置例と前記類似医療処置例とをともに表示し、前記評価手段が評価した前記比較評価結果を強調して表示する表示手段として機能させる。
【発明の効果】
【００４１】
本発明の医療処置評価支援装置によれば、データベースに記録された医療処置例の評価を支援することができるとともにその評価の客観性向上を図る効果がある。
本発明の医療処置評価支援システムによれば、データベースに記録された医療処置例の評価を支援することができるとともにその評価の客観性向上を図る効果がある。
【００４２】
本発明の医療処置評価支援プログラムによれば、データベースに記録された医療処置例の評価を支援することができるとともにその評価の客観性向上を図るコンピュータを実現することができる。
【発明を実施するための最良の形態】
【００４３】
（第１実施形態）
以下、本発明を具体化した医療処置評価支援装置の一実施形態を図１〜１１を参照して説明する。
【００４４】
図１に示すように医療処置評価支援装置１０は、処理装置本体２０と、該処理装置本体２０により表示制御されるディスプレイ４０と、スピーカ４４と、処理装置本体２０に対して医療処置に関する処置結果や、所見や、医師等の医療従事者の評価を後述するテキスト情報３３（図２参照）として入力するためのコンソール５０を有する。該コンソール５０は例えばキーボード５２や、マウス５４等のポインティングデバイスや或いは、タッチパネル（図示しない）やペン型の入力インタフェース（図示しない）を含む。処理装置本体２０は、検索クエリ医療処置例が付与されると、類似医療処置例を後述する医療処置例データベース３０（図２参照）から検索し、検索クエリ医療処置例の評価等の処理を行うためのものである。
【００４５】
処理装置本体２０はパーソナルコンピュータからなる。処理装置本体２０は図２に示すようにＣＰＵ（中央処理制御装置）２２や、ＣＰＵ２２にバス２１を介して接続された半導体メモリからなるＲＯＭ２４、ＲＡＭ２６や、取得した情報を記録し保存するためのハードディスクや、或いは書き込み読み出し可能なＤＶＤ等からなる大容量の記憶装置２８を有する。ＲＯＭ２４には、各種制御プログラムや、医療処置評価支援プログラムが格納されている。又、ＲＡＭ２６はＣＰＵ２２が演算処理する際の作業用メモリとなる。又、ＣＰＵ２２には、ディスプレイ４０、スピーカ４４、及びコンソール５０が電気的に接続されている。
【００４６】
記憶装置２８は、ＣＰＵ２２が図示しないインターフェイスを介して入力された各種情報が読み出し及び書き込み可能に記憶されている。例えば、記憶装置２８には、医療処置例データベース３０が記憶されている。記憶装置２８は医療処置例データベース記憶手段に相当する。
【００４７】
医療処置例データベース３０は、通常の医学的知識から判断される症例、その症例に対する医療処置実績、及びその医療処置実績について行った具体的な医療処置内容、及び医療処置中に発生した特定のイベント等が時系列に沿って順序付けられた医療情報がデータベース化されたものである。
【００４８】
この医療処置例データベース３０について詳説する。医療処置例データベース３０は、各症例毎に映像情報３１、音声情報３２、テキスト情報３３、機器情報３４、及び医療情報３５の各種情報を有する。
【００４９】
映像情報３１は、各症例毎に医療従事者が行う医療処置内容を、複数のカメラにて同期撮像して得られた情報である。なお、カメラは複数でもよく、或いは単数でもよい。なお、前記カメラとしては、動画が取得できるビデオカメラや、静止画を取得できるカメラも含む。又、前記カメラには、医療処置の全体概要の撮像が可能な広角カメラや、被治療者の患部である局所及びその周辺撮像可能な術野カメラや、治療室内において、メス等の器具が置いてある器械台を撮像する器械台カメラ等も含む。
【００５０】
音声情報３２は、治療室内で交わされる医療従事者（医師や看護士等）同士の会話等をマイク等の音声入力機器により得られた情報である。テキスト情報３３は、被治療者の容体や医療処置に関する所見等のコメントの入力をコンソール５０（キーボード等を含む）からの入力や、或いは音声入力されて音声認識により取得されたテキストの情報である。機器情報３４は、例えば治療室内の被治療者の血圧や、心拍数等のバイタルサインを示すセンサからの出力（センサ出力）の情報である。センサ出力は、前述のセンサに限定するものではない。すなわち、被治療者の心拍数、脈拍数、心電波形、及び血圧等のバイタルサインに係るセンサ出力以外に、例えば、心停止状態にある被治療者の心臓に電気的刺激を与える除細動器のような医療処置に直接使用される医療処置機器の出力、或いは直接医療処置に関係しない機器の出力を含む趣旨である。これらの、映像情報３１、音声情報３２、テキスト情報３３、機器情報３４は、マルチモーダル情報である。
【００５１】
これらの、マルチモーダル情報により通常の医学的知識から判断される症例、その症例に対する医療処置実績、及びその医療処置実績について行った具体的な医療処置内容が特定される。
【００５２】
又、図２、図６に示すように医療情報３５は、基礎情報３６と履歴情報３７を含む。基礎情報３６は、被治療者の医療処置例ＩＤ、被治療者の氏名や性別等のＩＤ（以下、被治療者ＩＤという）や、医療従事者のＩＤ（以下、医療従事者ＩＤという）情報、及び、その処置が行われた日時情報１００（Ｙ（年）／Ｍ（月）／Ｄ（日）／ｈ（時）／ｍ（分））である。履歴情報３７は、医療処置中に発生したイベントの履歴が時系列に沿って記録された情報である。
【００５３】
履歴情報３７は、医療処置履歴３７ａ、音声イベント履歴３７ｂ、機器イベント履歴３７ｃを含む。
医療処置履歴３７ａは被治療者に対して行われた医療処置が医療処置毎にシンボル化（すなわち、記号化）されるとともにその手順通りに並べた順序で記録されたものである。
【００５４】
音声イベント履歴３７ｂは、医療処置中の医療従事者（例えば、医師）の発声内容がマイク等により取得され、その音声認識の結果が図示しないコンピュータの処理により音声イベントとして検出されるとともに、各音声イベント毎にシンボル化（記号化）され、発生した順序で記録されたものである。例えば、医師が発声した内容が、「気道確認」→「気道確保」→…であったとした場合、音声イベント履歴は、「ａ→ｂ→ｃ→ｅ→…」とシンボル化され、図６に示すように「ａｂｃｅ…」のように記録される。
【００５５】
図８は、医療従事者（例えば医師）が発声した音声をマイク等により取得し、コンピュータにより音声認識を行う場合の例が示されている。図８に示すように、音声認識結果が「気道確認」のときは、「ａ」としてシンボル化される。以下同様に、「気道確保」→「ｂ」、「改善無し」→「ｃ」、「改善あり」→「ｄ」、「異物」→「ｅ」、「エアウェイ」→「ｆ」、「気道閉塞」→「ｇ」、「挿管」→「ｈ」、「切開」→「ｉ」、「ファイバーガイド」→「ｊ」、「完全閉塞」→「ｋ」、「靱帯１，」→「穿刺」のようにシンボル化される。
【００５６】
機器イベント履歴３７ｃは、医療処置中において医療機器（例えばセンサ）からの出力内容が予め設定された複数の機器イベントのうち、いずれの機器イベント内容に対応しているか否かが図示しないコンピュータにより判定され、該判定結果に応じた機器イベントがシンボル化されて、発生した順序で記録される。図６の機器イベント履歴３７ｃでは、「イロハニ」として、機器イベントがシンボル化されている。
【００５７】
このように履歴情報３７の各イベントがシンボル化されていることにより例えば、医療処置の記述において「心臓マッサージ」と「心マ」といった表記ゆれを許容してデータベースに記録されている場合に比較して、検索に要する計算量を抑制できる。
【００５８】
図２に示すように又、記憶装置２８には、イベントリスト３９が格納されている。イベントリスト３９は、映像情報３１を含む前記マルチモーダル情報と、医療処置を時系列に沿ってリスト化されたものであり、各症例毎に作成されている。又、記憶装置２８には、症例に応じた各種の標準的治療プログラム６２を記憶する治療プログラムデータベース６０が格納されている。そして、イベントリスト３９は、前記症例に応じた各種の標準的治療プログラム６２に対する実際の医療処置の照合結果と、医療処置の際に記録されるマルチモーダル情報とをリンクさせる形式で、該マルチモーダル情報と被治療者の基礎情報３６及び履歴情報３７がインデクシングされることにより作成されている。
【００５９】
さらに作成されるイベントリスト３９には、特定の時刻を基準として時間情報３８が付与されている。なお、本実施形態の時間情報は、該イベントの開始時刻とされている。そして、この時間情報３８に基づいて時系列に沿って記録された各医療処置の頭出し、及び再生作業等を容易に行うことが可能とされている。又、生成されるイベントリスト３９は、所見、診断技法、医療処置手技（すなわち医療処置内容）等を、症例に応じた標準的治療プログラム６２に基づいて構造化して分類され、ＸＭＬ等の標準的なフォーマットによって記述されている。その結果、記述内容の検索作業が容易に行われるようにされている。
【００６０】
なお、本実施形態では、前記イベントリストの編集が可能とされている。すなわち、編集指示手段としてのコンソール５０を介して、編集指示をＣＰＵ２２に入力すると、その編集指示に応じてＣＰＵ２２は、該症例についてのイベントの追加、削除等を行ってイベント列の編集を行う。この編集結果は、該症例について実施した医療処置例及び発生したイベントの順序を含む医療情報として記憶装置２８により医療処置例データベースに記録される。
【００６１】
ここで、標準的治療プログラム６２の具体例について説明すると、図７は標準的治療プログラムの一例である気道確保のための標準的治療プログラムを示すフローチャートである。同図に示すように、診断又は医療処置に係る行為として、＜Ａ＞意識障害の有無の判断、＜Ｂ＞用手的気道確保、＜Ｃ＞口腔内異物除去、＜Ｄ＞エアウエイ挿入、＜Ｅ＞気管挿管、＜Ｆ＞気管支ファイバーガイド下気管挿管、＜Ｇ＞気管切開、＜Ｈ＞輪状甲状靱帯穿刺がそれぞれの遷移条件を満足した場合に行われる。ここで、図７では、（  ）内に記載した事項が、医療処置の遷移条件である。例えば、＜Ｂ＞において、（要人工呼吸）、（異物なし）、及び（改善有り）が次の＜Ｅ＞、＜Ｃ＞、＜Ｄ＞の医療処置にそれぞれ遷移するための遷移条件である。
【００６２】
そして、医療処置例データベース３０の各症例の各医療処置は、医療処置手順が標準化された標準的治療プログラム６２に基づいて行われたものである。
（作用）
次に、第１実施形態の医療処置評価支援装置１０の作用を説明する。
【００６３】
図３は、医療処置評価支援プログラムが起動された状態にした際に医療処置評価支援装置１０のＣＰＵ２２が行う処理のフローチャートである。
Ｓ１０では、評価者はコンソール５０を使用して評価したい医療処置例に関する基礎情報の医療処置例ＩＤを入力する。この医療処置例ＩＤの入力に基づいて、ＣＰＵ２２は記憶装置２８の医療処置例データベース３０から検索クエリ医療処置例の症例を選択する。続くＳ２０ではＣＰＵ２２は、検索クエリ医療処置例と類似する医療処置例（以下、類似医療処置例という）の検索を開始し、Ｓ３０において検索を実行する。
【００６４】
図４はＣＰＵ２２が行う検索実行のフローチャートである。Ｓ３２では、ＣＰＵ２２は医療処置例データベース３０の各症例毎に、検索クエリ医療処置例に対する各イベントの類似度評価を行う。そして、Ｓ３４においてＣＰＵ２２は症例毎にそれぞれ算出した各イベントの類似度を統合し、Ｓ３６において統合類似度に基づいてソートを行う。
【００６５】
この類似度の算出方法の例を以下に説明する。
本実施形態では、ＣＰＵ２２は検索クエリ医療処置例の医療処置履歴３７ａに対する他の症例の医療処置履歴３７ａの類似度を算出する。又、ＣＰＵ２２は検索クエリ医療処置例の音声イベント履歴３７ｂに対する他の症例の音声イベント履歴３７ｂの類似度を算出する。
【００６６】
図９では、この類似度の具体例が示されている。なお、検索クエリ医療処置例の医療処置履歴を「ＡＢＤＥＨ」とし、音声イベント履歴を「ａｂｆｈｋｌ」とする。
医療処置例データベース３０中の他の症例である医療処置例ＩＤが「２００３１１２１」では、医療処置履歴は「ＡＢＣＥＧ」であるため、検索クエリ医療処置例との比較において最初の履歴（手順）「ＡＢ」の２手順と「Ｅ」の手順が一致している。そして、本実施形態では、この手順の一致の合計数を類似度としており、類似度Ｓａを３とする。同様にして他の症例に対しても、検索クエリ医療処置例との医療処置履歴の類似度Ｓａを算出する。そして、図９に示す例では、医療処置例ＩＤが「２００２１００９」のものが医療処置履歴の類似度Ｓａが高くなる。
【００６７】
又、同様に、音声イベントについても同様に行う。すなわち、医療処置例ＩＤが「２００３１１２１」では、音声イベント履歴３７ｂは「ａｂｃｅｃｈｉ」であるため、検索クエリ医療処置例との比較において最初の履歴（手順）「ａｂ」の２手順と「ｈ」の手順が一致している。そして、本実施形態では、この手順の一致の合計数を類似度としており、類似度Ｓｂを３とする。同様にして他の症例に対しても音声イベント履歴の類似度Ｓｂを算出する。図９に示す例では、医療処置例ＩＤが「２００２１００９」のものが医療処置履歴の類似度Ｓａが高くなる。
【００６８】
そして、Ｓ３４では、医療処置履歴３７ａに対する重み係数αと、音声イベント履歴３７ｂに対する重み係数βが設定されて、この重み付け加算が最終的な類似度（統合類似度）算出として、ＣＰＵ２２により行われる。なお、重み付けをする場合、医療処置履歴３７ａのみを重視する場合は、α＝１とし、β＝０とすれば、図９の例では医療処置例ＩＤが「２００２１００９」のものが、統合類似度が最も高くなる。又、音声イベント履歴３７ｂに着目して統合類似度が高いものを検索する場合、例えば、α＝０．５、β＝１．５とすることにより医療処置例ＩＤが「２００２０４０３」が最も統合類似度が高くなる。本実施形態ではこの重み係数α，β（すなわち、パラメータ）の設定は、コンソール５０（例えばキーボード）を介して行うことが可能である。従って、本実施形態では、検索クエリ医療処置例の評価を行う際に、何に注目して評価を行うかという評価者の観点を反映することができる。
【００６９】
図４のフローチャートの説明に戻って、Ｓ３６ではＣＰＵ２２は統合類似度に基づいて、ディスプレイ４０の表示画面４０ａへの表示が先頭となるように統合類似度が高いものから順に症例のソートを行う。この場合、統合類似度が０のものは、類似しないものとして、ＣＰＵ２２は判定し、類似度が０以外の症例をソート対象とする。
【００７０】
続く、図３において、Ｓ４０ではＣＰＵ２２は検索クエリ医療処置例の評価を行う。図５は、検索クエリ医療処置例の評価のフローチャートである。
Ｓ４２では、ＣＰＵ２２はソートの対象とした各類似医療処置例と検索クエリ医療処置例の各イベントの相違を検出し、その検出結果をＲＡＭ２６や、或いはハードディスク等の記憶装置２８に格納する。又、Ｓ４４では、ＣＰＵ２２は検索クエリ医療処置例の機器情報３４に基づいて医療機器の出力の外れ値や、或いは各イベントの時間情報３８に基づいてイベントが継続している時間（すなわち、イベント継続時間）の外れ値を検出する。そして、ＣＰＵ２２はこの外れ値を有するイベントをＲＡＭ２６や、或いはハードディスク等の記憶装置２８に格納する。イベント継続時間は、イベントの開始時刻と該イベントの次のイベントの開始時刻の差を算出することにより得られる。なお、外れ値は異常値に相当する。
【００７１】
ここで、外れ値の判定は、前記医療機器の出力や、ＲＯＭ２４に格納された判定値との大小関係の比較により行われる。この判定値は、該症例において、過去の経験上得られた通常値や異常値が採用される。
【００７２】
そして、図３のフローチャートに戻って、Ｓ５０においてＣＰＵ２２はＳ４０やＳ５０で行われた処理結果をディスプレイ４０の表示画面４０ａに表示する。
図１０（ａ）では、評価対象の使用例である検索クエリ医療処置例と、類似医療処置例とが表示画面４０ａにおいて複数のウインドウに表示されている。図１０（ｂ）、（ｃ）では、検索クエリ医療処置例及び類似医療処置例が１つのウインドウＷ１，Ｗ２にそれぞれ表示されているところが示されている。
【００７３】
ここで、検索クエリ医療処置例及び類似医療処置例のウインドウＷ１，Ｗ２の表示方法は略同一であるため、図１０（ｂ）の検索クエリ医療処置例の表示について説明し、図１０（ｃ）の類似医療処置例の表示において、図１０（ｂ）で示す構成と同一又は、相当する構成については同一符号を付しての重複説明を省略する。
【００７４】
図１０（ｂ）に示すようにウインドウＷ１には、医療情報３５に基づいて、医療処置例ＩＤ、医療従事者ＩＤ、被治療者ＩＤ、日時情報１００が表示される。又、ウインドウＷ１には、検索クエリ医療処置例における映像情報３１を拡大して再生する主画像表示領域７０と、治療室に配置された個々のカメラによって撮像された映像情報３１を独立して再生するために分割された副表示画像領域７２を有する。なお、この例では、映像情報３１は、動画とされている。又、ウインドウＷ１は、イベントリスト３９の各種情報が読み出されて表示されるイベントリスト表示領域７３を有する。本実施形態では、時間情報３８と、所見、医療処置内容が読み出されて、イベントリスト表示領域７３に時系列に沿って表示される。すなわち、イベントリスト表示領域７３では、図１０（ｂ）に示すように、各イベントが時系列に記録された情報を表形式で示される。
【００７５】
又、ウインドウＷ１には、評価欄Ｈが設けられており、該評価欄Ｈに評価者の評価がキーボード５２や、ペン型の入力インタフェースにより入力が可能とされている。又、主画像表示領域７０及び副表示画像領域７２に再生される映像情報３１とともに、映像情報３１と同時に取得された音声情報３２がスピーカ４４を介して再生される。なお、ウインドウＷ１の主画像表示領域７０と、ウインドウＷ２の主画像表示領域７０の映像情報が表示される際、ＣＰＵ２２により医療処置手順に同じイベントが存在する場合には該イベントを同期をとって表示される。
【００７６】
又、主画像表示領域７０に表示する映像情報３１の選択は、見たい副表示画像領域７２に対してマウス５４等のポインティングデバイスによりクリックして選択することにより副表示画像領域７２から主画像表示領域７０への切替表示がＣＰＵ２２により行われる。これにより注目したい映像情報３１を拡大表示して、該映像情報３１を評価する際の参考映像とすることもできる。
【００７７】
又、ＣＰＵ２２は、Ｓ４２で検出した類似医療処置例と検索クエリ医療処置例のイベントの相違を、ウインドウＷ１、Ｗ２のそれぞれのイベントリスト表示領域７３で強調表示する。強調表示としては、相違していない他のイベントとは異なる色で表示したり、グレー表示したり反転表示したりすることにより行うが、これらの強調表示に限定されるものではない。例えば、強調表示の他の例としては相違するイベントを点滅表示したり、相違するイベントに下線を引いたり、相違するイベントを太線表示したり、或いは文字を大きくすること等を挙げることができる。
【００７８】
図１０（ｂ）の検索クエリ医療処置例では、図１０（ｃ）の類似医療処置例とは、検索結果として、イベントの「輪状甲状靱帯穿刺」が、異なっているため、強調表示されている。又、図１０（ｂ）の検索クエリ医療処置例では、図１０（ｃ）の類似医療処置例とは、検索結果として、「所見」の「意識障害」から、次の「用手的気道確保」の時間間隔（イベント継続時間）が短いため、強調表示されている。
【００７９】
このように強調表示されるため、評価者に対して、相違点、すなわち、医療処置間で判断が異なった部分を教えることができ、医療処置の比較場面を示唆できるとともに論点整理を行うことができる。
【００８０】
この結果、評価者によって、ウインドウＷ１の該評価欄Ｈに評価やコメントが入力された後、これらの評価やコメントが医療処置例データベース３０の検索クエリ医療処置例に関連付けられて該症例のテキスト情報３３として記録される。
【００８１】
図１１（ａ），（ｂ）は、他の表示例である。なお、図１１（ａ）、（ｂ）において、図１０（ａ）〜（ｃ）で示した構成と同一構成については、同一符号を付す。
図１１（ａ），（ｂ）は、ウインドウＷ１，Ｗ２に、イベントリスト表示領域７３にイベントリストを表示することに代えて、標準的治療プログラムを示すダイヤグラムにより医療処置のイベントが表示されている。そして、行った医療処置の手順が類似医療処置例と相違する場合、該相違する医療処置のイベント部分の表示色が、相違しないイベント部分の表示色と異なるように、ＣＰＵ２２の制御により表示されたものである。又、該ダイヤグラムにおいては、行われた医療処置のイベントを囲む枠及びイベント手順を示す矢印が太線で示され、行われなかったイベントを囲む枠及びイベント手順は細線で示されるように、ＣＰＵ２２により表示されたものである。このようにしても、評価の支援を行うことができる。
【００８２】
以上詳述した本実施の形態によれば、以下に記載する各効果を得ることができる。
（１） 本実施形態の医療処置評価支援装置１０の処理装置本体２０では、過去の症例、前記症例について実施した医療処置及び発生したイベントの順序（履歴情報３７）を含む医療情報３５を医療処置例データベース３０に記録する記憶装置２８を医療処置例データベース記憶手段としている。そして、処理装置本体２０を、検索クエリ医療処置例が付与されたとき、該検索クエリ医療処置例と類似する類似医療処置例を、それぞれが有する医療情報３５に基づいて医療処置例データベース３０から検索する検索手段としている。又、処理装置本体２０は、検索された類似医療処置例と検索クエリ医療処置例とを比較評価する評価手段にしている。そして、処理装置本体２０はディスプレイ４０により前記検索クエリ医療処置例と前記類似医療処置例とをともに表示し、前記比較評価結果を強調して表示する。
【００８３】
この結果、本実施形態の医療処置評価支援装置１０は、評価者の従来の経験や知識に基づいた評価に、検索クエリ医療処置例と類似医療処置例との比較から検出された相違点を加えることによって、医療処置の評価の支援が期待できる。
【００８４】
又、ディスプレイ４０によって比較評価結果を強調して表示されるため、検索クエリ医療処置例と類似医療処置例との論点整理を行うことができ、症例検討に要する時間を短縮して評価支援を行うことができる。
【００８５】
（２）  本実施形態の医療処置評価支援装置１０は、評価入力手段としてのキーボード５２を備えるようにして、評価者が検索クエリ医療処置例の評価を入力できるようした。そして、記憶装置２８は、医療処置例データベース記憶手段として、キーボード５２を介して入力された評価を検索クエリ医療処置例に関連付けて医療処置例データベース３０に記録するようにした。
【００８６】
この結果、本実施形態では、検索クエリ医療処置例を評価がされた医療処置例として医療処置例データベース３０に格納することができ、評価情報も含めた医療処置例の記録ができる。
【００８７】
（３）  又、本実施形態では、医療処置例データベース３０の各症例に係る医療処置は、医療処置手順が標準化された標準的治療プログラム６２に基づいて行われており、医療処置例データベース３０には、前記医療処置がシンボル化された形式で記憶されている。この結果、医療処置がシンボル化されていることにより同一内容の医療処置については、同一にシンボル化されているため、例えば、「心臓マッサージ」と「心マ」といった表記ゆれを許容して、データベース化した場合と異なり、検索に要する計算量を抑制でき、その結果、類似医療処置例の検索時間を短縮して検索の効率化ができることになる。
【００８８】
（４）  又、本実施形態の医療処置評価支援装置１０は、医療処置例データベース３０に記録されている医療情報が、医療処置手順、医療処置の映像、音声、テキスト、センサ出力のモダリティから得られる少なくとも一つの情報を、医療処置中に発生したイベントをリスト化したイベントリストに同期して記録した。
【００８９】
この結果、医療処置評価支援装置１０は、記録された映像情報等のマルチモーダル情報の中からイベント（例えば、医療処置における"気管挿管"，"心臓マッサージ"，"除細動"等）に対応して、重要な箇所（例えば患部付近を拡大した映像、治療に使用する機器の測定結果等）を示すマルチモーダル情報がディスプレイ４０により表示できる。
【００９０】
（５）  医療処置評価支援装置１０は、処理装置本体２０が、記憶装置２８に記憶されている医療処置例に関するイベント種別に類似度を算出し、該類似度に基づいて類似医療処置例を検索するようにした。この結果、この医療処置評価支援装置１０によれば、検索時に医療処置手順や医療従事者の発声などのイベント種別に重み係数を設定することにより評価を行いたいイベントに対応した類似医療処置例が検索できる。
【００９１】
（６）  又、本実施形態の医療処置評価支援装置１０は、処理装置本体２０が、検索された類似医療処置例と前記検索クエリ医療処置例の各時系列で発生したイベント列に対して相違点を評価するようにした。この結果、本実施形態の医療処置評価支援装置によれば、検索クエリ医療処置例の各時系列で発生したイベント列に対して類似医療処置例のイベント列との相違点が評価されることにより該イベント列を伴った医療処置に対する評価の支援が期待できる。
【００９２】
（７）  本実施形態の医療処置評価支援装置１０では、処理装置本体２０は、検索クエリ医療処置例の医療処置の所要時間（すなわち、イベント継続時間）と、検索された類似医療処置例である標準的医療処置例における前記検索クエリ医療処置例の医療処置と対応する医療処置の所要時間（すなわち、イベント継続時間）との比較評価を行うようにした。この結果、本実施形態の医療処置評価支援装置１０では、検索クエリ医療処置例の医療処置の所要時間と、類似医療処置例における検索クエリ医療処置例の医療処置と対応する医療処置の所要時間との比較評価が行われることにより検索クエリ医療処置例における医療処置の所要時間の客観的評価ができる。
【００９３】
（８）  本実施形態の医療処置評価支援装置１０は、ディスプレイ４０が、検索クエリ医療処置例と類似医療処置例の医療処置を同時に表示する際に、医療処置手順に同じイベントが存在する場合は該イベントを同期をとって表示するようにしている。この結果、検索クエリ医療処置例と類似医療処置例の医療処置を同時に表示する際に、医療処置手順に同じイベントが存在する場合には該イベントが同期をとって表示されるため、検索クエリ医療処置例と類似医療処置例の医療処置とを評価者は同期表示された医療処置を同時に見ることができ、同期して表示しない場合に比して評価を行いやすくすることができる。
【００９４】
（９）  本実施形態の医療処置評価支援装置１０は、ディスプレイ４０が医療処置手順のダイヤグラムを使用して、検索クエリ医療処置例と、類似医療処置例の医療処置手順の比較結果を強調表示するようにした。この結果、ディスプレイ４０が医療処置手順のダイヤグラムを使用して、前記比較結果を強調表示するため、ダイヤグラムで表示された医療処置手順のうち、相違するイベントを分かりやすく評価者に提示することができる。
【００９５】
（１０）  本実施形態では、標準的治療プログラムに基づいて医療処置例データベース３０が構築されている。この結果、医療処置例データベース３０を構成する際に、記述における曖昧性や明瞭性等が大幅に改善されているため、正確な検索が容易となる。
【００９６】
（１１）  本実施形態では、多くのメディア情報（映像、音声、センサ出力）から得られた情報を、インデクシングした形式で利用するようにしている。この結果、従来では用いることが困難であった処置中のイベント（「ｘｘｘという発声」等の出来事）を検索や評価に用いることができる。
【００９７】
（１２）  本実施形態では、類似医療処置例の医療行為の記録を映像とともに表示するようにした。この結果、詳細に医療行為内容を比較検討できる利点がある。
（１３）  本実施形態では、シンボル化された情報を用いて検索を行っている。この結果、本実施形態では、キーワード検索による曖昧性（例えば「意識障害」と「意識の障害）の低減は検索処理の計算量の低減にもつながり、類似医療処置例検索を効率化できる。
【００９８】
一方、特許文献３の電子カルテテキストを傷病名や病状などの関連語をキーワードとして用いる手法や、特許文献４のレントゲンや動画に対して画像データをクエリとして与える手法では、正確な検索結果が得られないという問題がある。例えば、キーワード検索では、同一内容に対する表記ゆれ（「心臓マッサージ」と「心マ」等）等に対応することが困難であり、検索の巧拙により結果が大きく変動する問題がある。
【００９９】
（１４）  本実施形態では、効率的な類似医療処置例検索ができるため、効果的な症例検討の助けとなり、医療行為の質向上が期待できる。
（１５）  本実施形態の医療処置評価支援プログラムは、処理装置本体２０を過去の症例、前記症例について実施した医療処置及び発生したイベントの順序を含む医療情報３５を医療処置例データベース３０に記録する医療処置例データベース記憶手段とするようにしている。又、医療処置評価支援プログラムは、処理装置本体２０を検索クエリ医療処置例が付与されたとき、該検索クエリ医療処置例と類似する類似医療処置例を、それぞれが有する医療情報３５に基づいて医療処置例データベース３０から検索する検索手段とするようにしている。又、医療処置評価支援プログラムは、検索された類似医療処置例と検索クエリ医療処置例とを比較評価する評価手段とするようにしている。そして、医療処置評価支援プログラムは、処理装置本体２０が有しているディスプレイ４０を検索クエリ医療処置例と検索された類似医療処置例とをともに表示し、前記比較評価結果を強調して表示する表示手段として機能させるようにしている。この結果、この医療処置評価支援プログラムにより医療処置例データベース３０に記録された医療処置例の評価の支援が期待できるコンピュータを実現できる。
【０１００】
（第２実施形態）
次に第２実施形態を図１２を参照して説明する。図１２は医療処置評価支援システムの概略図である。なお、第１実施形態と同一構成又は相当する構成については同一符号を付す。
【０１０１】
本実施形態の医療処置評価支援システムでは、ホストコンピュータ１１０と端末２００とが通信線としてのＬＡＮ３００を介して接続され、両者間でデータ通信が可能である。ホストコンピュータ１１０は、第１実施形態の処理装置本体２０と同様にＲＯＭ２４、ＲＡＭ２６、及び記憶装置２８を有する。そして、記憶装置２８には、第１実施形態の記憶装置２８と同様に、映像情報３１、音声情報３２、テキスト情報３３、機器情報３４及び医療情報３５を有する症例の医療処置例データベース３０、時間情報３８を有するイベントリスト３９、治療プログラムデータベース６０が格納されている。一方、端末２００の端末本体２１０はパーソナルコンピュータからなり、ディスプレイ４０、スピーカ４４、及びコンソール５０を有している。
【０１０２】
このようにして、本実施形態の医療処置評価支援システムは、ホストコンピュータ１１０が、過去の症例、前記症例について実施した医療処置及び発生したイベントの順序を含む医療情報を医療処置例データベース３０に記録する記憶装置２８（医療処置例データベース記憶部）を有する。又、ホストコンピュータ１１０は、検索クエリ医療処置例が付与されたとき、該検索クエリ医療処置例と類似する類似医療処置例を、それぞれが有する医療情報に基づいて、記憶装置２８が記憶する前記医療処置例データベースから検索する検索部とされている。又、ホストコンピュータ１１０は、前記検索クエリ医療処置例と、前記検索部が検索した類似医療処置例とを比較評価する評価部とされている。一方、端末２００は、検索クエリ医療処置例と検索された類似医療処置例とをともに表示し、前記比較評価結果を強調して表示するディスプレイ４０（表示部）を備える。
【０１０３】
このように構成することにより第２実施形態の医療処置評価支援システムでは、検索クエリ医療処置例が付与されると、ホストコンピュータ１１０は該検索クエリ医療処置例と類似する類似医療処置例を、それぞれが有する医療情報に基づいて医療処置例データベース３０から検索する。そして、ホストコンピュータは前記類似医療処置例と前記検索クエリ医療処置例とを比較評価する。そして、端末２００のディスプレイ４０が前記検索クエリ医療処置例と前記類似医療処置例とをともに表示し、比較評価結果を強調して表示する。
【０１０４】
この結果、第２実施形態の医療処置評価支援システムでは、従来の経験や知識に基づいた評価に、検索クエリ医療処置例と類似医療処置例との比較から検出された相違点を加えることによって、医療処置の評価の支援が期待できる。又、端末２００のディスプレイ４０によって比較評価結果を強調して表示することにより検索クエリ医療処置例と類似医療処置例との論点整理を評価者が行いやすいため、症例検討に要する時間を短縮して評価支援を行うことができる。
【０１０５】
なお、本発明の実施形態は以下のように変更してもよい。
○  前記第１実施形態の類似医療処置例の代わりに、記憶装置２８の医療処置例データベース３０に、過去の症例、前記症例について実施した医療処置及び発生したイベントの順序を含む医療情報を有する標準的処置例を、記録するようにしてもよい。そして、処理装置本体２０が、検索手段として、検索クエリ医療処置例が付与されたとき、該検索クエリ医療処置例と類似する類似医療処置例として前記標準的処置例を、それぞれが有する医療情報に基づいて前記医療処置例データベースから検索するように構成する。
【０１０６】
そして、処理装置本体２０は、評価手段として、検索された前記標準的処置例と前記検索クエリ医療処置例とを比較評価する。又、ディスプレイ４０は、表示手段として、検索クエリ医療処置例と検索された標準的処置例とをともに表示し、比較評価結果を強調して表示する構成としてもよい。
【０１０７】
このような構成にしても、検索クエリ医療処置例は標準的処置例との比較から検出された相違点を加えることによって、医療処置の評価の支援が期待できる。又、ディスプレイ４０によって比較評価結果を強調して表示することにより検索クエリ医療処置例と標準的処置例との論点整理が行われるため、症例検討に要する時間を短縮して評価支援を行うことが可能となる。
【０１０８】
○  第１実施形態では、処理装置本体２０や、ディスプレイ４０を一般のデスクトップ型のパーソナルコンピュータのように独立して構成したものとして説明した。これに代えて、ノート型パーソナルコンピュータや、ディスプレイ一体型パーソナルコンピュータのように、処理装置本体２０の一部機能としてディスプレイ４０を包含した構成に具体化してもよい。又、ディスプレイ４０は、例えばプロジェクタとしてもよい。
【０１０９】
○  第１実施形態では、履歴情報３７は、被治療者に対して行われた医療処置を医療処置毎にシンボル化（記号化）し、その手順通りに並べた順序で、記録するようにした。これに代えて、一連のまとまりのある医療処置をまとめて１つにシンボル化するようにしてもよい。このようにすると、１つ１つの医療処置をシンボル化する場合に比較して、必要とされる記憶装置の記憶容量を少なくすることができる。
【０１１０】
○  第１実施形態では、履歴情報３７は、医療処置履歴３７ａ、音声イベント履歴３７ｂ、機器イベント履歴３７ｃを含むようにしたが、機器イベント履歴３７ｃを省略したり、或いは、さらに、他のイベントの履歴を加えるようにしてもよい。
【０１１１】
○  第１実施形態では、ＣＰＵ２２は検索クエリ医療処置例の医療処置履歴３７ａに対する症例の医療処置履歴３７ａの類似度を算出するとともに検索クエリ医療処置例の音声イベント履歴３７ｂに対する症例の音声イベント履歴３７ｂの類似度を算出するようにした。
【０１１２】
これに代えて、ＣＰＵ２２は検索クエリ医療処置例の医療処置履歴３７ａに対する他の症例の医療処置履歴３７ａの類似度を算出するとともに検索クエリ医療処置例の機器イベント履歴３７ｃに対する他の症例の機器イベント履歴３７ｃの類似度を算出するようにし、これらの類似度を統合して統合類似度を算出してもよい。又、医療処置履歴３７ａ，音声イベント履歴３７ｂ，機器イベント履歴３７ｃのそれぞれの類似度を算出して、統合類似度を算出するようにしてもよい。
【０１１３】
○  第１実施形態では、医療処置評価支援プログラムをＲＯＭ２４に格納したが、記憶装置２８や、他の外部記憶装置に格納してもよい。
○  第１実施形態では、類似医療処置例を検索する際、医療処置履歴３７ａや、音声イベント履歴３７ｂにおいて、検索クエリ医療処置例のものと一致する医療処置履歴３７ａの手順の数と音声イベント履歴３７ｂの手順の数を類似度の算出に用いている。これに代えて、映像情報３１から得られる動き情報や、センサ等の機器の出力から検出されるイベント情報を利用して、パターン認識等で用いられる他の手法を類似度の算出に利用してもよい。
【０１１４】
○  第１実施形態では、表示画面４０ａである同一画面上において複数のウインドウとして処理結果を表示するようにしたが、複数、例えば、一対のディスプレイのそれぞれに対して、検索クエリ医療処置例と、類似医療処置例を同時に表示するようにしてもよい。
【０１１５】
○  第１実施形態では、映像情報３１として、動画としたが、映像情報３１を静止画とし、この場合にはサムネイル等を用いても表示するようにしてもよい。
○  第１実施形態では、本実施形態の時間情報３８を時刻としたが、イベントが継続している時間を計測することにより得られたイベント継続時間であってもよい。
【０１１６】
○  第１実施形態では、Ｓ４２において、イベントの相違検出を検索クエリ医療処置例と類似医療処置例の間で行った。この処理に加えて、或いは、類似医療処置例とのイベントの相違比較を行わずに、このステップにおいて、検索クエリ医療処置例と標準的治療プログラムとの間において医療処置のイベントの相違を検出するようにしてもよい。
【０１１７】
このように標準的治療プログラムの医療処置のイベントとの比較が行われて、検索クエリ医療処置例の相違する医療処置のイベントを強調表示する。このようにしても、検索クエリ医療処置例の評価を支援することができる。
【０１１８】
○  第１実施形態では、医療処置評価支援装置１０は、医療処置例データベース３０に記録されている医療情報が、医療処置手順、医療処置の映像、音声、テキスト、センサ出力のモダリティから得られた全部の情報を、医療処置中に発生したイベントをリスト化したイベントリストに同期して記録した。これに代えて、医療処置手順、医療処置の映像、音声、テキスト、センサ出力のモダリティから得られ全部の情報の少なくも１つのマルチモーダル情報を、医療処置中に発生したイベントをリスト化したイベントリストに同期して記録しても良い。
【０１１９】
○  第１実施形態では、処理装置本体２０は、検索クエリ医療処置例の医療処置の所要時間（すなわち、イベント継続時間）と、類似医療処置例である標準的医療処置例における前記検索クエリ医療処置例の医療処置と対応する医療処置の所要時間（すなわち、イベント継続時間）との比較評価を行うようにした。これに代えて、或いは、これに加えて、処理装置本体２０は、検索クエリ医療処置例に関するセンサ出力を判定値としての通常値との比較評価を行うことにより異常値（外れ値）検出を行うようにしてもよい。この結果、検索クエリ医療処置例に関するセンサ出力の異常値検出が行われれば、該センサ出力の異常値に基づいて、検索クエリ医療処置例の医療処置に対する客観的評価を評価者が行う際にその支援を行うことができる。
【０１２０】
○  第１実施形態では、イベント種別に重み付けを設定して類似度の算出を行ったが、イベント毎に重みを変動させることによって類似度を算出するようにしてもよい。例えば、「気管挿管」は重み１とし、「心臓マッサージ」は重み０．３とするように「各イベント内容に応じて重み付け」を行うようにしてもよい。
【０１２１】
前記実施形態から把握できる請求項以外の技術的思想を下記に述べる。
（１）  検索クエリ医療処置例が付与されたとき、該検索クエリ医療処置例と類似する類似医療処置例をそれぞれが有する医療情報に基づいて、過去の症例、前記症例について実施した医療処置及び発生したイベントの順序を含む医療情報を記録する医療処置例データベースから検索する第１ステップと、前記検索クエリ医療処置例と検索された類似医療処置例とを比較評価する第２ステップと、前記検索クエリ医療処置例と前記類似医療処置例とをともに表示し、併せて前記比較評価結果を強調して表示する第３ステップを含むことを特徴とする医療処置評価支援方法。ここで、第１実施形態において、Ｓ２０及びＳ３０が第１ステップ、Ｓ４０が第２ステップ、及びＳ５０が第３ステップに相当する。
【０１２２】
この方法により従来の経験や知識に基づいた評価に、検索クエリ医療処置例と類似医療処置例との比較から検出された相違点を加えることによって、医療処置の評価の支援が期待できる。又、第３ステップによって比較評価結果を強調して表示することにより検索クエリ医療処置例と類似医療処置例との論点整理が行われるため、症例検討に要する時間を短縮して評価支援を行うことが可能となる。その結果、データベースに記録された医療処置例の評価の支援を期待できる効果を奏する。
【０１２３】
（２）  前記（１）に記載の技術的思想において、前記第１ステップは、医療処置例データベースに記憶されている医療処置例に関するイベント種別に類似度を算出し、前記類似度に基づいて類似医療処置例を検索することを特徴とする。
【０１２４】
（３）  前記（１）又は（２）に記載の技術的思想において、前記第２ステップは、前記類似医療処置例と前記検索クエリ医療処置例の各時系列で発生したイベント列に対して相違点を評価することを特徴とする。
【０１２５】
（４）  前記（１）乃至（３）のうちのいずれか１つに記載の技術的思想において、前記第２ステップは、前記検索クエリ医療処置例の医療処置の所要時間と、前記類似医療処置例である標準的医療処置例における前記検索クエリ医療処置例の医療処置と対応する医療処置の所要時間との比較評価、及び、前記検索クエリ医療処置例に関するセンサ出力の異常値検出の少なくともいずれか一方を行うことを特徴とする。
【０１２６】
（５）  前記（１）乃至（４）のうちのいずれか１つに記載の技術的思想において、前記第３ステップは、前記検索クエリ医療処置例と類似医療処置例の医療処置を同時に表示する際に、医療処置手順に同じイベントが存在する場合、該イベントを同期をとって表示することを特徴とする。
【０１２７】
（６）  前記（１）乃至（５）のうちのいずれか１つに記載の技術的思想において、前記第３ステップは、医療処置手順のダイヤグラムを使用して、前記比較結果を強調表示することを特徴とする。
【図面の簡単な説明】
【０１２８】
【図１】医療処置評価支援装置１０の全体概要図。
【図２】医療処置評価支援装置１０のブロック図。
【図３】検索クエリ医療処置例の作用の説明のためのフローチャート。
【図４】検索実行のフローチャート。
【図５】検索クエリ医療処置例の評価のフローチャート。
【図６】医療情報３５の構成の説明図。
【図７】標準的治療プログラムの一例の説明図。
【図８】音声認識結果のシンボル化の例を示す説明図。
【図９】検索時の類似度計算の説明図。
【図１０】（ａ）は検索クエリ医療処置例と類似医療処置例のディスプレイ画面上に表示されたときの説明図、（ｂ）は、検索クエリ医療処置例がディスプレイ画面上に表示された状態を示す説明図、（ｃ）は、類似医療処置例がディスプレイ画面上に表示された状態を示す説明図。
【図１１】（ａ）は、検索クエリ医療処置例がディスプレイ画面上に表示された状態を示す説明図、（ｂ）は、類似医療処置例がディスプレイ画面上に表示された状態を示す説明図。
【図１２】第２実施形態の医療処置評価支援システムの概略図。
【符号の説明】
【０１２９】
１０…医療処置評価支援装置
２０…処理装置本体
２２…ＣＰＵ
２８…記憶装置
３７…イベントリスト
４０…ディスプレイ
５０…コンソール
６２…標準的治療プログラム
【図１】
2007233850.tif 000003
【図２】
2007233850.tif 000004
【図３】
2007233850.tif 000005
【図４】
2007233850.tif 000006
【図５】
2007233850.tif 000007
【図６】
2007233850.tif 000008
【図７】
2007233850.tif 000009
【図８】
2007233850.tif 000010
【図９】
2007233850.tif 000011
【図１０】
2007233850.tif 000012
【図１１】
2007233850.tif 000013
【図１２】
2007233850.tif 000014